(57)【要約】【課題】除電動作を効率良く行えるようにした静電気シミュレーターを提供する。【解決手段】高電圧を発生するコントロール／電源４と、この高電圧によって充電するコンデンサー１５と、このコンデンサー１５に蓄積された電荷を被験体７に印加する放電チップ７と、放電チップ６をコンデンサー１６またはグランドレベルに切り換え接続するスイッチ１６を設けている。被験体７に放電する際には、スイッチ１６は端子１６ａに切り換えられ、被験体の除電動作を行う際には、スイッチ１６は端子１６ｃに切り換えられる。【選択図】  図２
2008224467.tif 000002
【特許請求の範囲】
【請求項１】
高電圧を発生する高電圧発生部と、
この高電圧発生部で発生した高電圧を充電するコンデンサーと、
このコンデンサーに蓄積された電荷を被験体に印加する静電気印加チップと、
上記被験体の残留電荷を上記静電気印加チップを介して除電する除電部と、
上記静電気印加チップと上記コンデンサーまたは上記除電部との接続を切り換えるスイッチと、
を備えたことを特徴とする静電気シミュレーター。
【請求項２】
上記静電気シミュレーターは、さらに、上記スイッチの切り換えのタイミングを調整するスイッチ制御部を備え、上記スイッチ制御部は上記静電気印加チップと上記除電部との接続時間を、上記静電気印加チップと上記コンデンサーとの接続時間よりも長くすることを特徴とする請求項１に記載の静電気シミュレーター。
【請求項３】
高電圧を発生する高電圧発生部と、
この高電圧発生部で発生した高電圧を充電するコンデンサーと、
このコンデンサーに蓄積された電荷を被験体に印加する静電気印加チップと、
上記被験体の残留電荷を上記静電気印加チップを介して除電する除電部と、
上記静電気印加チップと上記コンデンサーまたは上記除電部との接続を切り換えるスイッチと、
上記被験体の動作と同期をとるための動作タイミング調整部と、
上記コンデンサーに蓄積された電荷を上記被験体に印加するタイミングを調整するために上記被験体の動作と同期をとるためのタイミング調整部と、
を備えたことを特徴とする静電気シミュレーター。
【請求項４】
上記静電気シミュレーターは、上記被験体に対する高電圧の印加と除電を繰り返し行なうものであり、上記タイミング調整部は上記コンデンサーに蓄積された電荷を上記被験体に印加するタイミングを逐次変化させながら上記高電圧の印加と上記除電を行なうものであることを特徴とする請求項３に記載のシミュレーター。
【請求項５】
高電圧を発生する高電圧発生部と、
この高電圧発生部によって発生した高電圧を被験体に印加する静電気印加チップと、
上記高電圧発生部と上記静電気印加チップの接続と、グランドレベルと上記静電気印加チップの接続とを切り換える切換スイッチと、
上記静電気印加チップに上記高電圧発生部に接続させた後、上記静電気印加チップに上記グランドレベルを接続させるように上記切換スイッチの切り換え制御を行う切換制御部と、
を具備することを特徴とする静電気シミュレーター。
【請求項６】
上記切換制御部は、上記静電気印加チップに上記高電圧発生部を接続させた後、毎回、上記静電気印加チップに上記グランドレベルを接続させることを特徴とする請求項５に記載の静電気シミュレーター。
【請求項７】
上記切換制御部は、上記静電気印加チップに上記グランドレベルを接続させる時間が、上記静電気印加チップに上記高電圧発生部を接続する時間よりも長くなるように制御することを特徴とする請求項５に記載の静電気シミュレーター。
【請求項８】
上記切換制御部は、被験体の動作時間をＴ、印加回数をＮとすると、Ｔ＋（Ｔ／Ｎ）間隔で、放電動作を繰り返すことを特徴とする請求項５に記載の静電気シミュレーター。
【請求項９】
上記切換制御部は、上記被験体の動作時に周期的に動作状態に応じた動作信号を発生する信号発生部に接続され、上記動作信号に基づいて上記切換制御を行うことを特徴とする請求項５に記載の静電気シミュレーター。
【発明の詳細な説明】
【技術分野】
【０００１】
本発明は、静電気シミュレーターに関し、特にノイズ等に対する電子機器の許容度を試験するために、静電気を人為的に発生させる静電気シミュレーターに関する。
【背景技術】
【０００２】
近年、電子技術の進歩により電子機器は高精度化し、また小型化してきている。このため、ノイズ、特に突発的に発生する静電気放電による影響を受け、電子機器の誤動作、故障、破壊といった被害が発生する可能性がある。そこで、このような放電現象を人工的に発生させ、電子機器に静電気放電を与え、その影響を調べる静電気シミュレーターが知られている(例えば、特許文献１参照)。
【特許文献１】特開平９−２８１１７３号公報
【発明の開示】
【発明が解決しようとする課題】
【０００３】
静電気シミュレーターを用いて静電気試験を行なう場合には、一般的には電子機器の一連の動作の中、所定間隔で静電気を繰り返し放電し、このときの電子機器の状態を検出している。静電気放電を繰り返し行なうと、電荷が蓄積され電子機器の電位は次第に上がり、正確に検査を行なうことができない。そこで、静電気放電を所定回数繰り返すと、電子機器の除電を手動で行なっている。しかし、この除電動作は面倒であると共に、作業効率が悪いという問題があった。また、人間の作業にはばらつきが多く、不安定になることが多い。
【０００４】
本発明は、このような事情を鑑みてなされたものであり、除電動作を効率良く行えるようにした静電気シミュレーターを提供することを目的とする。
【課題を解決するための手段】
【０００５】
上記目的を達成するため第１の発明に係わる静電気シミュレーターは、高電圧を発生する高電圧発生部と、この高電圧発生部で発生した高電圧を充電するコンデンサーと、このコンデンサーに蓄積された電荷を被験体に印加する静電気印加チップと、上記被験体の残留電荷を上記静電気印加チップを介して除電する除電部と、上記静電気印加チップと上記コンデンサーまたは上記除電部との接続を切り換えるスイッチを備える。
【０００６】
第２の発明に係わる静電気シミュレーターは、上記第１の発明において、上記静電気シミュレーターは、さらに、上記スイッチの切り換えのタイミングを調整するスイッチ制御部を備え、上記スイッチ制御部は上記静電気印加チップと上記除電部との接続時間を、上記静電気印加チップと上記コンデンサーとの接続時間よりも長くする。
【０００７】
上記目的を達成するため第３の発明に係わる静電気シミュレーターは、高電圧を発生する高電圧発生部と、  この高電圧発生部で発生した高電圧を充電するコンデンサーと、このコンデンサーに蓄積された電荷を被験体に印加する静電気印加チップと、上記被験体の残留電荷を上記静電気印加チップを介して除電する除電部と、上記静電気印加チップと上記コンデンサーまたは上記除電部との接続を切り換えるスイッチと、上記被験体の動作と同期をとるための動作タイミング調整部と、上記コンデンサーに蓄積された電荷を上記被験体に印加するタイミングを調整するために上記被験体の動作と同期をとるためのタイミング調整部を備える。
【０００８】
第４の発明に係わる静電気シミュレーターは、上記第３の発明において、上記静電気シミュレーターは、上記被験体に対する高電圧の印加と除電を繰り返し行なうものであり、上記タイミング調整部は上記コンデンサーに蓄積された電荷を上記被験体に印加するタイミングを逐次変化させながら上記高電圧の印加と上記除電を行なう。
【０００９】
上記目的を達成するため第５の発明に係わる静電気シミュレーターは、高電圧を発生する高電圧発生部と、この高電圧発生部によって発生した高電圧を被験体に印加する静電気印加チップと、上記高電圧発生部と上記静電気印加チップの接続と、グランドレベルと上記静電気印加チップの接続とを切り換える切換スイッチと、上記静電気印加チップに上記高電圧発生部に接続させた後、上記静電気印加チップに上記グランドレベルを接続させるように上記切換スイッチの切り換え制御を行う切換制御部を具備する。
【００１０】
第６の発明に係わる静電気シミュレーターは、上記第５の発明において、上記切換制御部は、上記静電気印加チップに上記高電圧発生部を接続させた後、毎回、上記静電気印加チップに上記グランドレベルを接続させる。
また、第７の発明に係わる静電気シミュレーターは、上記第５の発明において、上記切換制御部は、上記静電気印加チップに上記グランドレベルを接続させる時間が、上記静電気印加チップに上記高電圧発生部を接続する時間よりも長くなるように制御する。
さらに、第８の発明に係わる静電気シミュレーターは、上記第５の発明において、上記切換制御部は、被験体の動作時間をＴ、印加回数をＮとすると、Ｔ＋（Ｔ／Ｎ）間隔で、放電動作を繰り返す。
さらに、第９の発明に係わる静電気シミュレーターは、上記第５の発明において、上記切換制御部は、上記被験体の動作時に周期的に動作状態に応じた動作信号を発生する信号発生部に接続され、上記動作信号に基づいて上記切換制御を行う。
【発明の効果】
【００１１】
本発明によれば、静電気印加チップを介して被験体の残留電荷を除電する除電部と、静電気印加チップとコンデンサーまたは除電部との接続を切り換えるスイッチを設けているので、除電動作を効率良く行えるようにした静電気シミュレーターを提供することができる。
【発明を実施するための最良の形態】
【００１２】
以下、図面に従って本発明を適用した静電気シミュレーターを用いた好ましい実施形態について説明する。この静電気シミュレーターは、デジタルカメラ等の電子機器に静電気を繰り返し印加し、静電気試験を行うことができる。
【００１３】
まず、第１実施形態に係わる静電気シミュレーターの構成について、図１に示す電気系のブロック図を用いて説明する。この静電気シミュレーター１は、表示部２、入力部３、コントローラ／電源４、充放電部５および放電チップ６とから構成されている。入力部３は、被験体７に印加・放電する印加電圧や、印加極性、すなわち正極もしくは負極の選択や、印加回数または印加周期等の設定入力を行なう。また、表示部２は入力部３によって入力された設定値等やその他の諸条件の表示や動作状態の表示を行う。
【００１４】
コントローラ／電源４は、入力部３によって設定された条件に基づいて、静電気シミュレーター１の全体制御を行うと共に、被験体７に印加するための高電圧電源を生成する。充放電部５は、コントローラ／電源４から高電圧電源と制御信号を受け、放電チップ６から被験体７に静電気放電を印加する。被験体７は、デジタルカメラ等の電子機器である。なお、コントローラ／電源４と充放電部５のグランドラインは、接地されている。また、被験体７の下には、試験法で定められた絶縁板８と抵抗１０を介して接地した試験用アルミ板９が設けられている。
【００１５】
次に、充放電部５の詳細な構成について、図２を用いて説明する。充放電部５に設けられた端子１１ａ、１１ｂ、１１ｃ、１１ｄは、コントローラ／電源４に接続されている。ここで、端子１１ａは、コントローラ／電源４の高圧電源端子に接続されており、コントローラ／電源４によって生成された高電圧が供給される。端子１１ｂは、コントローラ／電源４から、後述するコンデンサー１５の充放電制御用の制御信号Ａを入力するための端子である。
【００１６】
充放電部５の端子１１ｃは、放電チップ６から被験体７に放電を行い、また被験体７の除電を行うための制御信号Ｂを入力するための端子である。端子１１ｄは、充放電部５内に設けられたスタート／ストップスイッチ１７に基づく充放電操作のスタート／ストップ信号をコントローラ／電源４に伝達するための端子である。端子１１ｅは、コントローラ／電源４と共通のグランド（ＧＮＤ）に接続するための端子である。
【００１７】
端子１１ａは、スイッチ１２および抵抗１３の直列接続を介して、コンデンサー１５の一端に接続されている。スイッチ１２は、電磁リレースイッチで構成されるが、数ｋＶ程度の耐圧があればサイリスタやＩＧＢＴ等の半導体スイッチを用いても良い。端子１１ｂは、スイッチ１２の制御端子に接続されており、スイッチ１２は、端子１１ｂを介して印加される制御信号Ａに応じて、オンオフ動作を行う。
【００１８】
抵抗１３とコンデンサー１５の接続点は、抵抗１４を介してスイッチ１６の端子１６ａに接続されている。このスイッチ１６も、スイッチ１２と同様、電磁リレースイッチで構成されるが、耐圧があれば半導体スイッチで構成しても良い。このスイッチ１６の基端側の端子１６ｄは、静電気印加チップとしての放電チップ６に接続されており、また端子１６ａと反対側の端子１６ｃは端子１１ｅやコンデンサー１５の他端側に接続されると共に接地されている。また、端子１６ａと端子１６ｃの間には、どことも接続されていない中立位置の端子１６ｂが設けられている。
【００１９】
スイッチ１６の制御端子は、端子１１ｃを介してコントローラ／電源４に接続されており、制御信号Ｂに基づいてスイッチ１６の接続切換の制御を行う。スイッチ１６が端子１６ｃに接続され、放電チップ６がスイッチ１６を介して接地されると、被験体７の残留電荷を放電チップ６を介して除電する除電部が構成される。また、端子１１ｄと端子１１ｅの間には、スイッチ１７が配置されており、このスイッチ１７はユーザーによる静電気放電動作の指示を行なう操作釦に連動している。
【００２０】
以上の如く構成されている本発明の第１実施形態の動作について、図３に示すタイムチャートを用いて説明する。ユーザーが静電気シミュレーター１の操作釦を操作してスイッチ１７がオンとなると（Ｔ１）、充放電部５から端子１１ｄを通じてスタート信号がコントローラ／電源４に伝達される。これによって、コントローラ／電源４は昇圧動作を開始し、高圧電圧を生成し、端子１１ａに印加する。続いてコントローラ／電源４からの制御信号Ａによってスイッチ１２はオン状態となる（Ｔ２〜Ｔ３）。この間、コントローラ／電源４によって生成された高電圧は、抵抗１３を介してコンデンサー１５に充電される。このとき、スイッチ１６は端子１６ｃに切り換わったままであるので、放電チップ６はグランドレベルのままである。
【００２１】
コントローラ／電源４は、コンデンサー１５に充電するに十分な時間が経過すると、スイッチ１２をオフ状態に切り換える（Ｔ３）。その後、端子１１ｃから印加する制御信号Ｂによって、スイッチ１６を端子１６ｃから中立位置の端子１６ｂを経由して端子１６ａに切り換える（Ｔ４）。これによって、コンデンサー１５に蓄えられた電荷は、抵抗１４およびスイッチ１６を通じて、放電チップ６から被験体７に放電される。
【００２２】
所定時間が経過し、時刻Ｔ６になると、コントローラ／電源４は制御信号Ｂによって、スイッチ１６を端子１６ａから中立位置の端子１６ｂを経由して端子１６ｃに切り換える（Ｔ６、Ｔ７）。これによって、放電チップ６はグランドレベルに接続され、除電部が形成される。このグランドレベルへの接続は、時刻Ｔ７〜時刻Ｔ１０の間、継続され、この間に被験体７は除電される。この除電時間（Ｔ７〜Ｔ１０）は、放電時間（Ｔ５〜Ｔ６）に比較して長時間であり、確実に除電がされる。すなわち、一般に、充電よりも放電に時間がかかることから、除電時間を長くすることにより、確実に除電することができる。この除電開始のタイミングは、人間がタイミングを合わせるのは難しく、十分に長い時間、除電するために、印加時間を長く取る必要がある。
【００２３】
時刻Ｔ８になると、コントローラ／電源４は制御信号Ａによって、スイッチ１２をオンとし、時刻Ｔ２〜時刻Ｔ３の場合と同様に、コンデンサー１５の充電動作を再び行う。そして、充電動作が終わると、スイッチ１２をオフとしてから、時刻Ｔ１１〜時刻Ｔ１２の間、スイッチ１６を端子１６ａに切り換え、時刻Ｔ５〜時刻Ｔ６のときと同様にして、放電チップ６から被験体７に静電気を放電する。
【００２４】
なお、放電動作の間隔は、被験体７の動作間隔に合わせて決める。例えば、一つの動作に１秒かかる場合には、１．０５秒間隔で２０回、繰り返し行なうことにより、一つの動作について０．０５秒間隔で静電気試験を行なうことができる。被験体の一連の動作時間をＴとし、印加回数をＮとすると、放電動作の時間間隔はＴ＋（Ｔ／Ｎ）とすれば、放電動作をＮ回繰り返すことにより、均等に全動作についてシミュレーションを行なうことができる。
【００２５】
このように、ユーザーによって静電気シミュレーター１による放電試験が指示されると(時刻Ｔ１)、コンデンサー１５に高電圧による充電動作を行い（Ｔ２〜Ｔ３、Ｔ８〜Ｔ９）、被験体７に放電チップ６から放電動作を行い（Ｔ５〜Ｔ６、Ｔ１１〜Ｔ１２）、その後、除電動作を行っている（Ｔ７〜Ｔ１０）。このため、除電動作をユーザーが手動で行う場合に比較し、作業効率が向上するまた、放電後、毎回、除電動作を行うことから、被験体７に帯電している電荷がなくなり（グランドレベルに復帰し）、静電気試験の精度を向上させることができる。
【００２６】
次に、本発明の第２実施形態について、図４乃至図６を用いて説明する。この第２実施形態においては、被験体７内に設けられている動作スイッチの動きに同期して、放電チップ６から被験体７に静電気を放電している。
【００２７】
図４は、第２実施形態に係わる静電気シミュレーター１の電気的なブロック図であり、コントローラ／電源４、充放電部５および放電チップ６は、第１実施形態の場合とほぼ同様の構成となっている。ただし、コントローラ／電源４は、被験体７内のスイッチ２１の一端にプルアップ接続されている点と、被験体７の動作周期を記憶する記憶回路２３を備えている点が相違している。また、図４の図面上では省略してあるが、表示部２と入力部３も備えている。
【００２８】
被験体７は、例えばデジタルカメラ等のカメラであり、スイッチ２１はストロボ装置の発光タイミングをとるためのＸ接点スイッチである。このＸ接点スイッチは、シャッタの開き動作に連動してオンとなり、シャッタチャージに連動してオフとなるスイッチである。つまり、このスイッチ２１は、カメラが撮影動作を繰り返すと、図５に示すように、周期Ｔ１で定期的にオンオフ動作を行うスイッチである。
【００２９】
この被験体７のスイッチ２１のオンオフのタイミングに同期して、静電気シミュレーター１のスイッチ１２およびスイッチ１６のオンオフのタイミングを決めることにより、被験体７の一連の動作を均等間隔で静電気試験を行うことができる。すなわち、被験体のスイッチ２１の周期をｔ１とし、また印加回数をｎすると、スイッチ１６の間隔ｔ２は、
ｔ２＝ｔ１＋（ｔ１／ｎ）
となる。また、スイッチ１６のｋ番目の間隔ｔｋは、
ｔｋ＝ｔ１＋（ｔ１／ｎ）・ｋ
となる。
【００３０】
上述した間隔ｔｋは、被験体７の動作周期ｔ１に比較し、毎回、（ｔ１／ｎ）だけ間隔が伸びていき、ｎ回繰り返すと、丁度、１周期分となる。したがって、本実施形態おいては、時間間隔（ｔ１／ｎ）おきに、ｎ回の試験を繰り返すことにより、一連の動作についてデータを取得することができる。
【００３１】
続いて、本第２実施形態をデジタルカメラに適用した場合の動作について、図６を用いて説明する。この被験体７としてのカメラの撮影動作におけるシーケンスは、次の通りである。まず、カメラ内の可動ミラーを上昇させ（ＭＵ）、次に、撮像素子等による撮影動作を行い（ＥＸＰ）、シャッタチャージと可動ミラーのダウンを行ない（ＳＣ・ＭＤ）、これと並行して撮像素子から画像信号の読み出しを行う。このあと、読み出された画像信号の画像処理を行い、記録メディアに画像データの書き込みを行なう。なお、これらの撮影動作前には、自動露出制御（ＡＥ）、自動焦点調節（ＡＦ）、レンズ駆動（ＬＤ）等がなされる。
【００３２】
このようなカメラシーケンスにおいて、露光動作の開始に伴うシャッタの開放動作に応じてＸ接点スイッチ（ＸＳＷ）は、ＨレベルからＬレベルに切り換わり、またシャッタ閉じ動作後のシャッタチャージ動作（ＳＣ）に応じてＸ接点スイッチ（ＸＳＷ）は、ＬレベルからＨレベルに切り換わる。このＸ接点スイッチの動作周期はｔ１であり、静電気印加は、この周期ｔ１に対して、毎回、ｔ１／ｎだけ間隔が伸びるようにしている。なお、ｎは静電気印加回数である。
【００３３】
このため、静電気が印加されるタイミングは、図６に示す例では、最初は可動ミラーが上昇するタイミング(ＭＵ)付近であるが、次は、露光のタイミング（ＥＸＰ）付近であり、次第に、静電気が印加されるタイミングがずれていく。印加回数であるｎ回について、静電気が印加されると、撮影動作の全動作について所定間隔で静電気試験が終了する。
【００３４】
また、制御信号Ｂがスイッチ１６の切り換え制御を行い、放電チップ６から被験体７に放電を行った後に、被験体７の除電動作を行うようにしている。このため、除電動作の作業効率が良く、また、放電後、毎回、除電動作を行い、被験体７がグランドレベルになってから静電気が印加されことから、静電気試験の精度を向上させることができる。
【００３５】
なお、本実施形態においては、被験体７のスイッチ２１として、カメラのＸ接点スイッチを利用した例について説明したが、これに限らず、被験体７とスイッチ２１を接続することで、試験条件が変わることを避けるために、予め被験体７の動作周期を検出し、記憶しておき、その周期に基づいて印加周期を求め、被験体７の動作中にスイッチ２１を切り離しておいて、周期的に信号を出力するものであれば、利用することができる。
【００３６】
以上のように、本発明の各実施形態における静電気シミュレーターは、高電圧を発生するコントロール／電源４と、この高電圧によって充電するコンデンサー１５と、このコンデンサー１５に蓄積された電荷を被験体７に印加する放電チップ７と、放電チップ６をコンデンサー１６またはグランドレベルに切り換え接続するスイッチ１６を設けている。このため、被験体の残留電荷を容易に取り除くことができるので、被験体により正確な高電圧を容易に印加することができる。
【００３７】
また、本発明の実施形態における静電気シミュレーターは、スイッチ１６の切り換えのタイミングを調整するスイッチ制御部として作用するコントロール／電源４を備え、放電チップ６をグランドに接続して被験体７の除電とための接続時間を、放電チップ６とコンデンサー１５との接続時間よりも長くしている。このため、被験体７の充放電特性により充電によりも放電に時間がかかるため、このような構成とすることにより、より正確な除電を行なうことができる。
【００３８】
また、本発明の実施形態における静電気シミュレーターは、高電圧を発生する高電圧発生部としてのコントロール／電源４、この高電圧発生部で発生した高電圧を充電するコンデンサー１５と、このコンデンサー１５に蓄積された電荷を被験体７に印加する静電気印加チップとしての放電チップ６と、被験体７の残留電荷を静電気印加チップを介して除電する除電部と、静電気印加チップとコンデンサー１５または除電部との接続を切り換えるスイッチ１６と、被験体７の動作と同期をとるための動作タイミング調整部としてのスイッチ１２と、コンデンサー１５に蓄積された電荷を被験体７に印加するタイミングを調整するために被験体７の動作と同期をとるためのタイミング調整部としてのコントロール／電源４を備えている。このため、被験体の所定の動作タイミングで静電気シミュレーションを行なうことができる。
【００３９】
なお、本発明の実施形態においては、放電動作後、毎回、除電動作を行っていたが、コントローラの設定には、例えば、１回おきでも、５回おきでも、適宜、除電動作を間引いて行う設定が可能にしてある。
【００４０】
本発明の実施形態の説明にあたって、被験体として、カメラを例に挙げて説明したが、これに限らず、種々の電子機器について静電気試験を行うことができることはもちろんである。
【図面の簡単な説明】
【００４１】
【図１】本発明の第１実施形態に係わる静電気シミュレーターの回路ブロック図である。
【図２】本発明の第１実施形態に係わる静電気シミュレーターの充放電部の回路ブロック図である。
【図３】本発明の第１実施形態に係わる静電気シミュレーターの動作状態を示すタイムチャートである。
【図４】本発明の第２実施形態に係わる静電気シミュレーターの回路ブロック図である。
【図５】本発明の第２実施形態に係わる静電気シミュレーターの動作状態を示すタイムチャートである。
【図６】本発明の第２実施形態に係わる静電気シミュレーターにおいて、被験体をデジタルカメラの場合の動作状態を示すタイムチャートである。
【符号の説明】
【００４２】
１・・・静電気シミュレーター、２・・・表示部、３・・・入力部、４・・・コントローラ／電源、５・・・充放電部、６・・・放電チップ、７・・・被験体、８・・・絶縁板、９・・・試験用アルミ板、１０・・・抵抗、１１ａ・・・端子、１１ｂ・・・端子、１１ｃ・・・端子、１１ｄ・・・端子、１１ｅ・・・端子、１２・・・スイッチ、１３・・・抵抗、１４・・・抵抗、１５・・・コンデンサー、１６・・・スイッチ、１６ａ・・・端子、１６ｂ・・・端子、１６ｃ・・・端子、１６ｄ・・・端子、１７・・・スイッチ、２１・・・スイッチ、２３・・・記憶回路
【図１】
2008224467.tif 000003
【図２】
2008224467.tif 000004
【図３】
2008224467.tif 000005
【図４】
2008224467.tif 000006
【図５】
2008224467.tif 000007
【図６】
2008224467.tif 000008